(57)【特許請求の範囲】
【請求項１】
カメラにより被識別者の画像を取得し、該画像データから被識別者を認識する虹彩認識システムにおいて、
前記被識別者の背後からの光を調整する第一の偏光手段と、
前記被識別者に光を照射したのち、被識別者により反射した光を再び受光して、カメラのレンズに入射させる第二の偏光手段とを設け、
前記第一、第二の偏光手段の偏光方向を異なるようにし、
前記第二の偏光手段による光のみ、前記カメラに入光させて前記画像データを取得することを特徴とする虹彩認識システム。
【請求項２】
被識別者に外来光が照射される環境に設置されるとともに、カメラでとらえた被識別者の画像データから被識別者を認識する虹彩認識装置を有する虹彩認識システムにおいて、
前記被識別者の背後に第一の偏光手段を設けるとともに
前記カメラのレンズの外側に第二の偏光手段を設け、
前記第一、第二の偏光手段の偏光方向を異なるようにしたことを特徴とする虹彩認識システム。
【請求項３】
上記虹彩認識装置は自動取引装置であり、上記第二の偏光手段は上記自動取引装置を覆うボックスに設けられる請求項２記載の虹彩認識システム。
【請求項４】
被識別者に外来光が照射される環境に設置されるとともに、カメラでとらえた被識別者の画像データから被識別者を認識する虹彩認識装置において、
前記カメラのレンズの外側に第一の偏光手段を設けるとともに、
前記第一の偏光手段の偏光方向を、前記被識別者の背後に設けられた第二の偏光手段の偏光方向と異なる方向になるようにしたことを特徴とする虹彩認識装置。
【請求項５】
被識別者に光を照射する光源に第三の偏光手段を設け、該第三の偏光手段は、前記第二の偏光手段と偏光方向を同一にすることを特徴とする請求項１乃至３記載の虹彩認識システム。
【発明の詳細な説明】
【０００１】
【発明の属する技術分野】
本発明は、金融機器である自動取引装置などに使用され、利用者が本人であるか否かを認識する虹彩認識システムに関する。
【０００２】
【従来の技術】
従来、金融機器である自動取引装置などに使用され、利用者が本人であるか否かを認識する虹彩認識システムには、例えば特公平５−０８４１６６号に開示されてあるような、カメラにより被識別者の虹彩をとらえ、その画像データから被識別者を認識するものがある。このような虹彩認識システムには、一般に高感度のカメラが使用される。虹彩認識システムは、まずこのカメラにより写された被認識者の頭部を識別してから目の位置を把握し、次にその虹彩をズームアップして画像データを取得する。その虹彩の画像データ、つまりアイリス（虹彩）パターンは、あらかじめ登録されてある顧客のアイリスパターンと照合され、一致するかどうかで顧客本人であるか否かが認識される。
【０００３】
【発明が解決しようとする課題】
従来の虹彩認識システムにあっては、虹彩認識装置である自動取引装置を設置した室内に、窓やドアから光が入り込み、カメラがその窓やドアの方向を向いている場合、被識別者の背景が明るすぎて、被識別者の映像が相対的に暗く沈んでしまって正確にとらえられないという問題点があった。
【０００４】
また、従来の虹彩認識システムにあっては、虹彩認識装置である自動取引装置を設置した室内の照明が、被認識者の瞳に映り込むと、カメラが照明の映り込みとともに虹彩を撮影してしまうので、正確なアイリスパターンを得ることができず、取得したアイリスパターンがあらかじめ登録されてある顧客のアイリスパターンと大きく異なってしまい、顧客本人であっても、本人ではないと誤認識されてしまうという問題点があった。
【０００５】
【課題を解決するための手段】
本発明の虹彩認識システムにおいては、複数の偏光手段を用いてカメラのレンズに入射する光を調整する。
【０００６】
上記のように構成された虹彩認識システムが設置される室内において、カメラのレンズには、偏光手段を透過して顧客の映像や正確なアイリスパターンをとらえるのに必要な光のみが入射する。
【０００７】
【発明の実施の形態】
本発明の第一の実施の形態について図面を参照しながら説明する。なお、各図面に共通な要素には同一の符号を付す。図１は本発明の虹彩認識システムを示す説明図、図２は本発明の自動取引装置を示す斜視図、図３は本発明の自動取引装置の制御ブロック図である。本実施の形態においては、虹彩認識システムが使用される自動取引装置を例に挙げて説明する。図３において、虹彩認識装置、すなわちＡＴＭ（自動取引装置）１は、カード処理部２を有している。カード処理部２は、金融機関が発行したＩＤ（顧客認識）カード３に記憶された、金融機関ごとのコードや顧客の口座番号、氏名などの顧客情報を読み出す。
【０００８】
このカード処理部２の前面側に接続されたカード挿入返却口２ａからＩＤカード３の挿入、返却が行われる。通帳処理部４は、通帳挿入返却口４ａから挿入される通帳５に印字処理などを行う。また、通帳処理部４は、通帳５の表紙に設けられた磁気ストライプ内の記憶情報の読取り、更新、印字頁行の検出、改頁などを行う。貨幣処理部８は、紙幣入出金部９と硬貨入出金部１０とで構成される。紙幣入出金部９は、顧客により入金される紙幣を真偽鑑別、計数し、搬送して図示しない金種別保管金庫に収納し、また顧客に支払う紙幣を金種別保管金庫から繰り出す。
【０００９】
硬貨入出金部１０は、顧客により入金される硬貨を真偽鑑別、計数し、搬送して図示しない金種別保管金庫に収納し、また顧客に支払う硬貨を金種別保管金庫から繰り出す。この貨幣処理部８には、顧客が紙幣を投入する、また顧客に紙幣を支払う接客口９ａが結合される。また、顧客が硬貨を投入する、また顧客に硬貨を支払う接客口１０ａが結合される。なお、接客口９ａ、１０ａは、図示しない駆動手段によってそれぞれシャッタ９ｂ、１０ｂが動作して紙幣および硬貨の挿脱を規制している。
【００１０】
接客部１１は、顧客が操作入力を行ったり、また顧客に対して誘導表示を行うタッチパネルであり、取引科目である“ご入金”や“お引出し”、または“お振込み”などを表示しており、その表示部に軽く触れることで取引が選択されるようになっている。音声案内部１２は、音声による操作案内を行うものであり、装置正面のスピーカ・マイクロホン１２ａとで構成されている。映像撮影部１３は、顧客３３の目３３ａのアイリス（虹彩）の画像データを採取するカメラ１３ａと、所定の角度範囲だけカメラの視野を移動させる図示せぬ機構とで構成される。画像処理部１４は、映像撮影部１３による撮像の処理を行う。
【００１１】
記憶部１５は、各種の制御を行うプログラムが記憶されたＲＡＭ（ランダムアクセスメモリ）やＲＯＭ（リードオンリメモリ）、フロッピディスクなどで構成される。Ｉ／Ｆ（インタフェース）部１６は、ＡＴＭ１と上位装置であるホストコンピュータ２２との接続口である。接近探知機１７は、顧客がＡＴＭ１に近付いたことを超音波を用いて検知するもので、顧客などの被検出物までの距離や位置を割り出すことができる。
【００１２】
主制御部１８は、上述した各部を制御する。電源部１９は、上述した各部に電力を供給する。係員呼出ボタン２０は、これを顧客が押すことにより係員を呼び出して対話できるようになっている。Ｉ／Ｆ部１６は、通信回線２１によりホストコンピュータ２２に接続されている。ホストコンピュータ２２は、顧客ごとの口座番号や預金残高情報および後述する虹彩の画像データなどを記憶している顧客情報ファイルを格納した記憶装置２３を有している。
【００１３】
また、ＡＴＭ１の最上部には、顧客３３の瞳孔の大きさを調節する散乱光源４５が設けられている。ＡＴＭ１は、公衆電話ボックスのようなガラス張りのＡＴＭボックス５１内に設置されている。ＡＴＭボックス５１の側壁やドアには、全て偏光方句が縦方向の偏光ガラス５２が使用されている。また、カメラ１３ａのレンズの外側には、偏光方向が横方向の偏光ガラス５３が取り付けられている。
【００１４】
上述したような第一の実施の形態における虹彩認識システムによる虹彩認識動作について説明する。図１において、取引に先だって顧客３３がＡＴＭ１の前に近付くと、接近検出機１７により顧客３３がＡＴＭ１の所定の距離内に入ったことが通知される。これにより主制御部１８は、接客部１１に図４に示すような顧客誘導画面を表示し、取引選択入力を促す。主制御部１８は、同時に画像処理部１４を介して映像撮影部１３に撮影指示を出す。映像撮影部１３は、周囲の動画データを採取し、数フレーム前の動画データと比較し、この動画データの変化を伴う部分を検知する。このような部分を検知して、その部分の形状と予め記憶されている人体の形状とを比較して人体の形状に近いか否かを識別し、人体の形状に近いと識別したときに『人体』と判定し、顧客３３を取引対象と仮定する。
【００１５】
画像処理部１３は、次に顧客３３の『顔』を抽出し、続いて『目』の位置を特定すると、主制御部１８に虹彩データが取得可能であることを伝える。ここで、ＡＴＭボックス５１の側壁には、偏光方向が縦方向の偏光ガラス５２が使用されており、カメラ１３ａのレンズの外側には、偏光方向が横方向の偏光ガラス５３が取り付けられている。すなわち、偏光方向が縦方向の偏光ガラス５２を透過した光は、偏光方向が横方向の偏光ガラス５３を透過しないので、顧客３３の背景の明るさが遮られ、カメラ１３ａは顧客３３の『顔』と『目』とを瞬時に特定することができる。
【００１６】
主制御部１８は、この通知を受けてカメラ１３ａをズームアップして虹彩を撮影する。ここで、虹彩は、瞳孔の大きさによって変化するので、散乱光源４５により瞳孔の大きさを調節する。制御部１８は、瞳孔が小さい場合には散乱光源４５を暗くして瞳孔を開かせ、瞳孔が大きい場合は散乱光源４５を明るくして瞳孔を絞る。このようにして読み取った虹彩データは、画像処理されて画像データとしてホストコンピュータ２２に送信されるとともに、ＡＴＭ１の記憶部１５内にも一時記憶される。
【００１７】
ここで、虹彩データについて簡単に説明する。人間の眼球の表面層のパターン、特に虹彩は、水晶体を中心に放射状の黒い筋や外周の輪郭などのパターンで形成され、このパターンは幼年期に形成されるものであり、個人ごとに、また同一人であっても右目と左目とでは異なっている。つまり、このアイリスパターンを使用することにより、個人を識別するのに特に優れたデータを得ることができる。このアイリスパターンを所定の線に沿って光学的な走査を行い、その走査によって抽出された明暗をデジタル符号化したものを虹彩データと称する。
【００１８】
金融機関の発行したＩＤカード３がカード挿入返却口２ａから挿入されたことにより、ホストコンピュータ２２にＩＤ番号が通知される。ホストコンピュータ２２は、記憶装置２３の顧客情報ファイルから対応する虹彩の画像データを得る。次に、ＡＴＭ１からホストコンピュータ２２に送信された虹彩データと顧客情報ファイルから得た画像データとの照合が行われる。照合の結果、本人と確認されたならば、ＡＴＭ１は、一致した虹彩データから顧客３３の氏名、口座番号などを接客部１１に表示し、顧客３３により取引口座の選択および確認を促す。顧客は、接客部１１のタッチパネル１１ａやスピーカ・マイクロホンの指示に従いながら、順に自動取引を行う。
【００１９】
このように、ＡＴＭボックス１の側壁やドアに偏光方向が縦方向の偏光ガラス５２を使用するとともに、カメラ１３ａのレンズの外側に偏光方向が縦方向の偏光ガラス５３を設けたことにより、顧客３３の背景の明るさが遮られ、カメラ１３ａは顧客３３の『顔』と『目』とを瞬時に正確に特定することができる。
【００２０】
次に、本発明の第二の実施の形態について説明する。図４は本発明の虹彩認識システムを示す説明図である。図４において、ＡＴＭ４１の偏光光源４５には、カメラ１３ａのレンズの外側に設けられた偏光ガラスと同様の偏光方向が縦方向の偏光ガラス５５が設けられている。第二の実施の形態の虹彩認識システム、およびＡＴＭにおけるその他の構成要素については、第一の実施の形態と同様であるので説明は省略する。
【００２１】
上述したような第二の実施の形態における虹彩認識システムによる虹彩認識動作について説明する。主制御部１８が、画像処理部１４を介して映像撮影部１３に撮影指示を出すと、映像撮影部１３は、周囲の動画データを採取する。次に、数フレーム前の動画データと比較し、この動画データの変化を伴う部分を検知する。このような部分を検知して、その部分の形状と予め記憶されている人体の形状とを比較して人体の形状に近いか否かを識別し、人体の形状に近いと識別したときに『人体』と判定し、顧客３３を取引対象と仮定する。
【００２２】
画像処理部１３は、次に顧客３３の『顔』を抽出する。画像処理部１４は、続いて『目』の位置を特定する。また、主制御部１８に虹彩データが取得可能であることを伝え、カメラ１３ａをズームアップして虹彩を撮影する。ここで、虹彩は、瞳孔の大きさによって変化するので、偏光光源４５により瞳孔の大きさを調節する。制御部１８は、瞳孔が小さい場合には偏光光源４５を暗くして瞳孔を開かせる。逆に瞳孔が大きい場合は、偏光光源４５を明るくして瞳孔を絞る。
【００２３】
このとき、偏光光源４５に設けられた偏光ガラス５５の偏光方向は、カメラ１３ａのレンズに設けられた偏光ガラス５３の偏光方向と同じであるので、カメラ１３ａの偏光ガラス５３を透過する光の量は、散乱光源を使用するよりも多くなる。従って、顧客３３の眼球表面に発生する照明５４の映り込みよりも、偏光光源４５によって照らされるアイリスの方がより明るい像としてカメラ１３ａにとらえられる。
【００２４】
このようにして読み取った虹彩データは、画像処理されて画像データとしてホストコンピュータ２２に送信されるとともに、ＡＴＭ４１の記憶部１５内にも一時記憶される。このように、ＡＴＭ４１の偏光光源４５に、カメラ１３ａのレンズの外側に設けられた偏光ガラスと同様の偏光方向が縦方向の偏光ガラス５５を設けたことにより、照明５４の映り込みの影響を排除して正確なアイリスパターンを得ることができる。
【００２５】
なお、本実施の形態では、偏光手段として偏光ガラスを例として説明したが、本発明はこれに限定されることなく、偏光フィルム、その他光を偏光させるものであればよい。また、本実施の形態では、ＡＴＭボックスを例に説明したが、本発明はこれに限定されることなく、光が照射される店舗などにおいても同様に応用可能である。さらに、自動取引装置にも限定されることなく、虹彩により個人認識を行う装置であればよい。
【００２６】
【発明の効果】
本発明は、以上説明したように構成されているので、以下に記載されるような効果を奏する。
【００２７】
すなわち、複数の偏光手段を用いてカメラのレンズに入射する光を調整することにより、窓から入り込んだ光により被識別者の像が暗く沈んでしまうことを防止し、さらに被識別者の眼球表面に発生する照明の映り込みの影響が小さくなるので、被識別者の映像を瞬時に正確にとらえることができるとともに、正確なアイリスパターンを得ることが可能となる。
【図面の簡単な説明】
【図１】本発明の虹彩認識システムを示す説明図である。
【図２】本発明の自動取引装置を示す斜視図である。
【図３】本発明の自動取引装置の制御ブロック図である。
【図４】本発明の虹彩認識システムを示す説明図である。
【符号の説明】
１３ａ    カメラ
３３    顧客
５２、５３、５５    偏光ガラス
【図１】
0003751368.tif 000002
【図２】
0003751368.tif 000003
【図３】
0003751368.tif 000004
【図４】
0003751368.tif 000005